(57)【要約】      （修正有）【課題】段ボールの製造時に、簡素な構造で段ボールの表面に付着した糊カスやゴミ等を確実かつ効率的に掻き取り、製造後の段ボールの表面を糊カス等によって傷付けることがなく、高品質で製品価値の高い段ボールを安定して製造することができる糊カス除去装置を提供する。【解決手段】糊付け工程後に移送される段ボール２０の上流側の幅方向中央部から下流側の幅方向両外側部に向かって傾斜して配置され段ボール２０の上面側に摺接する左右２本のブラシロール７ａ、７ｂと、段ボール２０の幅方向中央部で２本のブラシロールの回転軸８の端部同士を連結する自在継手１０と、段ボール２０の幅方向外側部でいずれか一方のブラシロールの回転軸８の端部に接続され、１つのモータ１３で２本のブラシロール７ａ、７ｂを段ボール２０の移送方向と逆方向に回転させるブラシ駆動部１２と、を備える。【選択図】図１
0003198517.tif 000002
【実用新案登録請求の範囲】
【請求項１】
段ボールの製造時に前記段ボールの表面に付着する糊カスを除去する糊カス除去装置であって、
糊付け工程後に移送される前記段ボールの上流側の幅方向中央部から前記段ボールの下流側の幅方向両外側部に向かって傾斜して配置され前記段ボールの上面側に摺接する左右２本のブラシロールと、前記段ボールの幅方向中央部で２本の前記ブラシロールの回転軸の端部同士を連結する自在継手と、前記段ボールの幅方向外側部でいずれか一方の前記ブラシロールの前記回転軸の端部に接続される１つのモータで２本の前記ブラシロールを前記段ボールの移送方向と逆方向に回転させるブラシ駆動部と、を備えていることを特徴とする糊カス除去装置。
【請求項２】
段ボールの製造時に前記段ボールの表面に付着する糊カスを除去する糊カス除去装置であって、
糊付け工程後に移送される前記段ボールの上流側の幅方向中央部から前記段ボールの下流側の幅方向両外側部に向かって傾斜して配置され前記段ボールの上面側に摺接する左右２本のブラシロールと、２本の前記ブラシロールの各々の回転軸の一端部を回転自在に支持する軸支部と、２本の前記ブラシロールの各々の前記回転軸の他端部に接続されるモータで各々の前記ブラシロールを前記段ボールの移送方向と逆方向に回転させるブラシ駆動部と、を備えていることを特徴とする糊カス除去装置。
【請求項３】
左右２本の前記ブラシロールが、前記回転軸の外周に螺旋状に植毛された線毛材と、前記線毛材で掻き取られる糊カスを前記段ボールの幅方向中央側から前記段ボールの幅方向外側に向かって案内する螺旋溝と、を備えていることを特徴とする請求項１又は２に記載の糊カス除去装置。
【考案の詳細な説明】
【技術分野】
【０００１】
本考案は、段ボールの製造時にその表面に付着する糊カスやゴミ等を除去するための糊カス除去装置に関するものである。
【背景技術】
【０００２】
段ボール等の製造時に、糊付け工程で使用した糊が、両端部からはみ出すと、次第に乾燥して固結化し、粒状の糊カスとなって段ボール等の表面に付着し、段ボール等の表面を傷付け、製品価値を低下させるという問題があった。
この不具合の発生を防止するために、段ボール等の表面に付着した糊カスを除去するための糊カス除去装置が提案されている。
例えば（特許文献１）には、ダブルフェーサの熱板側に配置し、熱板上を走行する段ボールシートの下面側に摺接する糊カスの除去手段を設けたダブルフェーサの糊カス除去装置が開示されている。
【先行技術文献】
【特許文献】
【０００３】
【特許文献１】特開２００４−１８１７４４号公報
【考案の開示】
【考案が解決しようとする課題】
【０００４】
しかしながら、上記従来の技術は以下のような課題を有していた。
（１）（特許文献１）の糊カスの除去手段として、段ボールシートの表面に摺接して移送方向と反対方向に回転する除去ロールが開示されている。
この除去ロールにより、糊カスを掻き落とそうとする力が発生するが、除去ロールが金属パイプのような硬質材料で形成されている場合、糊カスを段ボールシート側に押し付けてしまい、段ボールの表面を傷付けてしまうおそれがある。
（２）また、除去ロールがウレタンのような弾性材料で形成されている場合、除去ロールの表面が変形してしまい、糊カスを十分に掻き落とすことができないという課題がある。
（３）さらに、段ボールシートの表面から除去された糊カスが粘着力や摩擦力などにより、除去ロールの表面に付着したままになり、その糊カスで段ボールの表面を傷付けたり、糊カスが段ボールの表面に再付着したりするおそれもある。
（４）（特許文献１）には、除去ロールの表面に付着した糊カスを除去するための掻き取り部を設けることも記載されているが、掻き取り片を除去ロールに係合させるだけでは、糊カスを確実に除去することは困難であり、糊カス除去の確実性、信頼性に欠けるという課題を有している。
（５）また、除去ロールと掻き取り部の両方を有することにより、部品点数が増え、構造が複雑になると共に、それぞれの部品の清掃やメンテナンス等が必要になり、取扱い性、メンテナンス性に欠けるという課題を有している。
【０００５】
本考案は上記課題を解決するもので、簡素な構造で段ボールの表面に付着した糊カスやゴミ等を確実かつ効率的に掻き取り、段ボールの幅方向の両外側に落下させることができ、製造後の段ボールの表面を糊カス等によって傷付けることがなく、高品質で製品価値の高い段ボールを安定して製造することができる糊カス除去の効率性、確実性、信頼性に優れた糊カス除去装置の提供を目的とする。
【課題を解決するための手段及びそれによって得られる作用、効果】
【０００６】
上記課題を解決するために本考案の糊カス除去装置は、以下の構成を有している。
本考案の請求項１に記載の糊カス除去装置は、段ボールの製造時に前記段ボールの表面に付着する糊カスを除去する糊カス除去装置であって、糊付け工程後に移送される前記段ボールの上流側の幅方向中央部から前記段ボールの下流側の幅方向両外側部に向かって傾斜して配置され前記段ボールの上面側に摺接する左右２本のブラシロールと、前記段ボールの幅方向中央部で２本の前記ブラシロールの回転軸の端部同士を連結する自在継手と、前記段ボールの幅方向外側部でいずれか一方の前記ブラシロールの前記回転軸の端部に接続される１つのモータで２本の前記ブラシロールを前記段ボールの移送方向と逆方向に回転させるブラシ駆動部と、を備えた構成を有している。
この構成により、以下のような作用、効果を有する。
（１）糊付け工程後に移送される段ボールの上流側の幅方向中央部から段ボールの下流側の幅方向両外側部に向かって傾斜して配置され段ボールの上面側に摺接する左右２本のブラシロールと、段ボールの幅方向中央部で２本のブラシロールの回転軸の端部同士を連結する自在継手と、段ボールの幅方向外側部でいずれか一方のブラシロールの回転軸の端部に接続される１つのモータで２本のブラシロールを段ボールの移送方向と逆方向に回転させるブラシ駆動部を備えているので、１つのモータで２本のブラシロールを回転させることにより、段ボールの上面に付着した糊カスを各々のブラシロールで確実に掻き取ることができ、掻き取った糊カスを各々のブラシロールの長手方向に沿って段ボールの幅方向中央側から段ボールの幅方向両外側に向かって移動させ、落下させることができ、製造後の段ボールの表面に糊カスが付着したり、段ボールの表面を糊カスによって傷付けたりすることがなく、高品質で製品価値の高い段ボールを安定して製造することができ、糊カス除去の効率性、確実性、信頼性に優れる。
（２）段ボールの上面側に摺接する左右２本のブラシロールが段ボールの上流側の幅方向中央部から段ボールの下流側の幅方向両外側部に向かって傾斜して配設されていることにより、掻き取った糊カスが自動的に段ボールの幅方向両外側まで移動して段ボールの外に落下するので、別途、ブラシロールから糊カスを除去する機構や糊カスを回収する機構等が不要で、部品点数を低減することができ、構造を簡素化してコンパクト化を図ることが可能で、搬送性、量産性、既存の段ボール製造設備への着脱作業性に優れる。
（３）段ボールの幅方向中央部で２本のブラシロールの回転軸の端部同士を連結する自在継手を備えることにより、１つのモータで２本のブラシを同時に回転させることができるので、装置をコンパクト化することがで、省スペース性に優れると共に、駆動電力を低減することができ、省エネルギー性に優れる。
【０００７】
ここで、ブラシロールの線毛材の材質は適宜、選択することができるが、ポリエステルやポリプロピレン等の合成樹脂が好適に用いられる。
段ボールの幅は規格化されているので、少なくとも最小幅の段ボールの両外側から最大幅の段ボールの両外側の範囲にブラシロールを配置することにより、製造される段ボールの幅に関わらず、段ボールの幅方向の両端部から発生する糊カスを確実に除去することができ、汎用性に優れる。
自在継手はニ軸がある角度をもって交わる場合に用いられる軸継手のことで、ユニバーサルジョイント又はユニバーサルカップリングとも呼ばれる。連結されるニ軸の交角に拘束されないで回転を伝達することができ、ニ軸の角速度比は、ニ軸の交角によって変化する。
【０００８】
２本のブラシロールの回転軸の端部同士を連結する自在継手の数は１つでも２つでもよい。２つの自在継手を用いた場合、自在継手への負荷を増大させることなく、ブラシロールの傾斜角度を大きくすることができ、動作の安定性に優れる。また、自在継手同士を連結した中央の連結部を軸受で支持することができるので、各々のブラシロールを両端で確実に支持して水平を保つことができ、正面から見て段ボールの表面と２本のブラシロールの回転軸が平行になり、ブラシ全体を確実に段ボールの表面に接触させることができ、糊カスの掻き取り及び排出の動作の安定性、確実性に優れる。
ブラシロールの最適な傾斜角度は、段ボールの移送速度やブラシロールの回転速度等に応じて適宜、選択することができるが、１つの自在継手におけるニ軸の交角は５度〜２０度が好ましい。ニ軸の交角が５度より小さくなるにつれ、糊カスが段ボールの外側に移動し難くなり、糊カスの排出性が低下し易くなる傾向があり、２０度より大きくなるにつれ、自在継手やモータへの負荷が増大して、ブラシロールの回転が不安定になり易く、糊カスがスムーズに排出され難くなると共に、段ボールの表面とブラシロールとの間の抵抗が増加し、モータの負荷が大きくなって駆動の効率性が低下し易くなる傾向があり、いずれも好ましくない。
尚、ブラシ駆動部のモータは左右いずれのブラシロールの回転軸に連結してもよい。
【０００９】
本考案の請求項２に記載の糊カス除去装置は、段ボールの製造時に前記段ボールの表面に付着する糊カスを除去する糊カス除去装置であって、糊付け工程後に移送される前記段ボールの上流側の幅方向中央部から前記段ボールの下流側の幅方向両外側部に向かって傾斜して配置され前記段ボールの上面側に摺接する左右２本のブラシロールと、２本の前記ブラシロールの各々の回転軸の一端部を回転自在に支持する軸支部と、２本の前記ブラシロールの各々の前記回転軸の他端部に接続されるモータで各々の前記ブラシロールを前記段ボールの移送方向と逆方向に回転させるブラシ駆動部と、を備えた構成を有している。
この構成により、請求項１の（２）と同様の作用、効果に加え、以下のような作用、効果を有する。
（１）糊付け工程後に移送される段ボールの上流側の幅方向中央部から段ボールの下流側の幅方向両外側部に向かって傾斜して配置され段ボールの上面側に摺接する左右２本のブラシロールと、２本のブラシロールの各々の回転軸の一端部を回転自在に支持する軸支部と、２本のブラシロールの各々の回転軸の他端部に接続されるモータで各々のブラシロールを段ボールの移送方向と逆方向に回転させるブラシ駆動部を備えているので、ブラシ駆動部の２つのモータで各々のブラシロールを回転させることにより、段ボールの上面に付着した糊カスを各々のブラシロールで確実に掻き取ることができ、掻き取った糊カスを各々のブラシロールの長手方向に沿って段ボールの幅方向中央側から段ボールの幅方向両外側に向かって移動させ、落下させることができ、製造後の段ボールの表面に糊カスが付着したり、段ボールの表面を糊カスによって傷付けたりすることがなく、高品質で製品価値の高い段ボールを安定して製造することができ、糊カス除去の効率性、確実性、信頼性に優れる。
（２）２本のブラシロールの各々の回転軸の一端部を回転自在に支持する軸支部と、２本のブラシロールの各々の回転軸の他端部に接続される２つのモータで各々のブラシロールを段ボールの移送方向と逆方向に回転させるブラシ駆動部を備えることにより、各々のブラシロールを別々のモータで個別に回転させることができ、モータやブラシロールの回転軸等に余計な負荷をかけることなく、スムーズに回転させることができ、動作の安定性に優れる。
【００１０】
ここで、ブラシロールの最適な傾斜角度は、請求項１と同様であるので、説明を省略する。
左右２本のブラシロールを２つのモータでそれぞれ別々に回転させる場合、各々のブラシロールの回転軸のいずれか一方の端部を軸支部で回転自在に支持し、他方の端部にモータを接続することができるが、２本の回転軸の装置中央側の端部をそれぞれ軸支部で回転自在に支持し、各々の回転軸の装置外側の端部にモータを取付けることにより、モータ同士或いはモータと他の部品が干渉することがなく、装置の大型化を防ぐことができる。
【００１１】
請求項３に記載の考案は、請求項１又は２に記載の糊カス除去装置であって、左右２本の前記ブラシロールが、前記回転軸の外周に螺旋状に植毛された線毛材と、前記線毛材で掻き取られる糊カスを前記段ボールの幅方向中央側から前記段ボールの幅方向外側に向かって案内する螺旋溝と、を備えた構成を有している。
この構成により、請求項１又は２の作用、効果に加え、以下のような作用、効果を有する。
（１）左右２本のブラシロールが、回転軸の外周に螺旋状に植毛された線毛材と、線毛材で掻き取られる糊カスを段ボールの幅方向中央側から段ボールの幅方向外側に向かって案内する螺旋溝を備えることにより、線毛材で掻き取られた糊カスを確実かつスムーズに段ボールの幅方向両外側に移動させて排出することができ、糊カスが段ボールに再付着することがなく、糊カス除去の効率性、確実性を向上させることができる。
【００１２】
ここで、段ボールの幅方向中央側から見て右回転するブラシロールでは線毛材及び螺旋溝のねじれ方向を左ねじれとし、段ボールの幅方向中央側から見て左回転するブラシロールでは線毛材及び螺旋溝のねじれ方向を右ねじれとすることにより、ブラシロールの回転に伴って掻き取られた糊カスが、螺旋状の線毛材及び螺旋溝に沿って段ボールの幅方向中央側から段ボールの幅方向両外側に向かって移動することができる。
【図面の簡単な説明】
【００１３】
【図１】実施の形態１の糊カス除去装置の平面模式図
【図２】実施の形態１の糊カス除去装置の正面模式図
【図３】実施の形態１の糊カス除去装置の側面模式図
【図４】実施の形態２の糊カス除去装置の正面模式図
【考案を実施するための形態】
【００１４】
本考案の糊カス除去装置について、以下図面を参照しながら説明する。なお、本考案は以下に説明する実施の形態に限定されるものではない。
（実施の形態１）
図１は実施の形態１の糊カス除去装置の平面模式図であり、図２は実施の形態１の糊カス除去装置の正面模式図であり、図３は実施の形態１の糊カス除去装置の側面模式図である。
図１及び図２中、１は実施の形態１の糊カス除去装置、２は製造される段ボール２０の幅方向と平行に配設される糊カス除去装置１のフレーム、３はフレーム２の長手方向の両端部に配設された糊カス除去装置１のブラケット、４は左右のブラケット３の間にフレーム２と平行に渡設された糊カス除去装置１のブラシ支持軸、５はブラシ支持軸４の両端部に配設された糊カス除去装置１の端部ブラシ支持部、６はブラシ支持軸４の中央部に配設された糊カス除去装置１の中央部ブラシ支持部、７ａ，７ｂは両端部がそれぞれ端部ブラシ支持部５と中央部ブラシ支持部６で回転自在に支持され段ボール２０の上流側の幅方向中央部から段ボール２０の下流側の幅方向両外側部に向かって傾斜して配設され段ボール２０の上面側に摺接する糊カス除去装置１の左右２本のブラシロール、８はブラシロール７の回転軸、９は回転軸８の外周に螺旋状に植毛されたブラシロール７のポリエステル製の線毛材、９ａは線毛材９で掻き取られる糊カスを段ボール２０の幅方向中央側から段ボール２０の幅方向外側に向かって案内するブラシロール７ａ，７ｂの螺旋溝、１０は一端が糊カス除去装置１の両外側部でブラシロール７ａ，７ｂの各々の回転軸８の端部に接続され他端が左右の端部ブラシ支持部５に回転自在に保持された左右の側部自在継手、１１は一端が左右のブラシロール７ａ，７ｂの各々の回転軸８の端部に接続され他端同士が糊カス除去装置１の幅方向中央部で連結され連結部１１ａが中央部ブラシ支持部６で回転自在に保持された２つの中央部自在継手、１２は糊カス除去装置１の左側の端部ブラシ支持部５で側部自在継手１０と接続された１つのモータ１３で段ボール２０の移送方向と逆方向にブラシロール７ａ，７ｂを回転させる糊カス除去装置１のブラシ駆動部である。
図３中、１４は左右のブラケット３の外側に配設されブラシ支持軸４を中心にブラシロール７ａ，７ｂを上下方向に揺動させるエアシリンダ等を用いたブラシ揺動機構である。
【００１５】
２本のブラシロール７ａ，７ｂの回転軸８の端部同士は１つの自在継手で直接連結することもできるが、本実施の形態のように２つの自在継手１１を用いることにより、自在継手１１への負荷を増大させることなく、ブラシロール７ａ，７ｂの傾斜角度を大きくすることができ、動作の安定性に優れる。また、ブラシロール７ａ，７ｂの各々の回転軸８の両端部が自在継手１０，１１を介して端部ブラシ支持部５及び中央部ブラシ支持部６で回転自在に支持されるので、各々のブラシロール７ａ，７ｂを水平に保つことができる。この結果、図２に示すように、正面から見て段ボール２０の表面と２本のブラシロール７ａ，７ｂの回転軸８が平行になり、ブラシ全体を確実に段ボール２０の表面に接触させることができ、糊カス等の掻き取り及び排出の動作の安定性、確実性に優れる。
尚、各々の自在継手１０，１１におけるニ軸の交角は５度〜２０度とした。ニ軸の交角が５度より小さくなるにつれ、糊カス等が段ボール２０の外側に移動し難くなり、糊カス等の排出性が低下し易くなる傾向があり、２０度より大きくなるにつれ、自在継手１０，１１やモータ１３への負荷が増大して、ブラシロール７ａ，７ｂの回転が不安定になり易く、糊カス等がスムーズに排出され難くなると共に、段ボール２０の表面とブラシロール７ａ，７ｂとの間の抵抗が増加し、モータ１３の負荷が大きくなって駆動の効率性が低下し易くなる傾向があることがわかったためである。
尚、ブラシ駆動部１２のモータ１３は左右いずれのブラシロール７ａ，７ｂの回転軸８に連結してもよい。
【００１６】
以上のように構成された実施の形態１の糊カス除去装置の動作について説明する。
図１及び図３において、段ボール製造装置で製造された糊付け工程後の段ボール２０は矢印ａの方向に移送される。段ボール２０の移送が開始されると、図３に示すようにブラシロール７ａ，７ｂが矢印ｂの方向に下降し、段ボール２０の上面に摺接する。そして、ブラシ駆動部１２のモータ１３（図１及び図２参照）を駆動することにより、図３に示すように、ブラシロール７ａ，７ｂは段ボール２０の移送方向（矢印ａ）と逆の矢印ｃの方向に回転する。
このとき、段ボール２０の幅方向中央側から見てブラシロール７ａ，７ｂの線毛材８及び螺旋溝９のねじれ方向がブラシロール７ａ，７ｂの回転方向と逆方向になっていることにより、ブラシロール７ａ，７ｂの回転に伴って掻き取られた糊カス等が、螺旋状の線毛材９及び螺旋溝９ａに沿って段ボール２０の幅方向中央側から段ボール２０の幅方向両外側に向かってスムーズに移動し、段ボール２０の両外側に排出される。
尚、段ボール２０の移送詰まりなどが発生した場合は、ブラシ揺動機構１４によりブラシロール７ａ，７ｂを上方向に持ち上げることにより、段ボール２０を容易に取り除くことができ、メンテナンス性に優れる。
【００１７】
以上のように構成された実施の形態１の糊カス除去装置は、以下の作用を有する。
（１）糊付け工程後に移送される段ボールの上流側の幅方向中央部から段ボールの下流側の幅方向両外側部に向かって傾斜して配置され段ボールの上面側に摺接する左右２本のブラシロールと、段ボールの幅方向中央部で２本のブラシロールの回転軸の端部同士を連結する自在継手と、段ボールの幅方向外側部でいずれか一方のブラシロールの回転軸の端部に接続される１つのモータで２本のブラシロールを段ボールの移送方向と逆方向に回転させるブラシ駆動部を備えているので、１つのモータで２本のブラシロールを回転させることにより、段ボールの上面に付着した糊カスを各々のブラシロールで確実に掻き取ることができ、掻き取った糊カスを各々のブラシロールの長手方向に沿って段ボールの幅方向中央側から段ボールの幅方向両外側に向かって移動させ、落下させることができ、製造後の段ボールの表面に糊カスが付着したり、段ボールの表面を糊カスによって傷付けたりすることがなく、高品質で製品価値の高い段ボールを安定して製造することができ、糊カス除去の効率性、確実性、信頼性に優れる。
（２）段ボールの上面側に摺接する左右２本のブラシロールが段ボールの上流側の幅方向中央部から段ボールの下流側の幅方向両外側部に向かって傾斜して配設されていることにより、掻き取った糊カスが自動的に段ボールの幅方向両外側まで移動して段ボールの外に落下するので、別途、ブラシロールから糊カスを除去する機構や糊カスを回収する機構等が不要で、部品点数を低減することができ、構造を簡素化してコンパクト化を図ることが可能で、搬送性、量産性、既存の段ボール製造設備への着脱作業性に優れる。
（３）段ボールの幅方向中央部で２本のブラシロールの回転軸の端部同士を連結する自在継手を備えることにより、１つのモータで２本のブラシを同時に回転させることができるので、装置をコンパクト化することがで、省スペース性に優れると共に、駆動電力を低減することができ、省エネルギー性に優れる。
（４）左右２本のブラシロールが、回転軸の外周に螺旋状に植毛された線毛材と、線毛材で掻き取られる糊カスを段ボールの幅方向中央側から段ボールの幅方向外側に向かって案内する螺旋溝を備えることにより、線毛材で掻き取られた糊カスを確実かつスムーズに段ボールの幅方向両外側に移動させて排出することができ、糊カスが段ボールに再付着することがなく、糊カス除去の効率性、確実性を向上させることができる。
【００１８】
（実施の形態２）
図４は実施の形態２の糊カス除去装置の正面模式図である。尚、実施の形態１と同様のものは同一の符号を付して説明を省略する。
図４において、実施の形態２の糊カス除去装置１ａが実施の形態１と異なるのは、段ボール２０の幅方向中央部で２本のブラシロール７ａ，７ｂの回転軸８の端部に接続された中央部自在継手１１同士が連結部１１ａで連結されておらず、軸受を備えた軸支部１１ｂで別々に回転自在に支持され、各々の回転軸８の装置外側の端部にブラシ駆動部１２のモータ１３が接続されている点である。
これにより、所定の角度で傾斜して配置された左右のブラシロール７ａ，７ｂを２つのモータ１３で別々に回転させることができる。
尚、中央部自在継手１１は必ずしも設ける必要はなく、各々の回転軸８の端部を軸支部（軸受）で回転自在に支持することもできるが、図４に示すように、回転軸８の端部に中央部自在継手１１を接続することにより、２つの軸支部１１ａを平行に配置することができ、中央部ブラシ支持部６の構造を簡素化することが可能で、量産性、組立て作業性に優れる。
【００１９】
以上のように構成された実施の形態２の糊カス除去装置１ａの動作は、左右のブラシロール７ａ，７ｂが２つのモータ１３で別々に回転する以外は実施の形態１と同様なので、説明を省略する。
【００２０】
以上のように構成された実施の形態２の糊カス除去装置は、実施の形態１の（２）、（４）と同様の作用に加え、以下の作用を有する。
（１）糊付け工程後に移送される段ボールの上流側の幅方向中央部から段ボールの下流側の幅方向両外側部に向かって傾斜して配置され段ボールの上面側に摺接する左右２本のブラシロールと、２本のブラシロールの各々の回転軸の一端部を回転自在に支持する軸支部と、２本のブラシロールの各々の回転軸の他端部に接続されるモータで各々のブラシロールを段ボールの移送方向と逆方向に回転させるブラシ駆動部を備えているので、ブラシ駆動部の２つのモータで各々のブラシロールを回転させることにより、段ボールの上面に付着した糊カスを各々のブラシロールで確実に掻き取ることができ、掻き取った糊カスを各々のブラシロールの長手方向に沿って段ボールの幅方向中央側から段ボールの幅方向両外側に向かって移動させ、落下させることができ、製造後の段ボールの表面に糊カスが付着したり、段ボールの表面を糊カスによって傷付けたりすることがなく、高品質で製品価値の高い段ボールを安定して製造することができ、糊カス除去の効率性、確実性、信頼性に優れる。
（２）２本のブラシロールの各々の回転軸の一端部を回転自在に支持する軸支部と、２本のブラシロールの各々の回転軸の他端部に接続される２つのモータで各々のブラシロールを段ボールの移送方向と逆方向に回転させるブラシ駆動部を備えることにより、各々のブラシロールを別々のモータで個別に回転させることができ、モータやブラシロールの回転軸等に余計な負荷をかけることなく、スムーズに回転させることができ、動作の安定性に優れる。
【産業上の利用可能性】
【００２１】
本考案により、簡素な構造で段ボールの表面に付着した糊カスやゴミ等を確実かつ効率的に掻き取り、段ボールの幅方向の両外側に落下させることができ、製造後の段ボールの表面を糊カス等によって傷付けることのない糊カス除去の効率性、確実性、信頼性に優れた糊カス除去装置を提供することができ、既存の段ボール製造装置に取付けて、段ボールの品質向上、安定生産に貢献することができる。
【符号の説明】
【００２２】
１  糊カス除去装置
２  フレーム
３  ブラケット
４  ブラシ支持軸
５  端部ブラシ支持部
６  中央部ブラシ支持部
７ａ，７ｂ  ブラシロール
８  回転軸
９  線毛材
９ａ  螺旋溝
１０  側部自在継手
１１  中央部自在継手
１１ａ  連結部
１１ｂ  軸支部
１２  ブラシ駆動部
１３  モータ
１４  ブラシ揺動機構
２０  段ボール
【図１】
0003198517.tif 000003
【図２】
0003198517.tif 000004
【図３】
0003198517.tif 000005
【図４】
0003198517.tif 000006